(57)【要約】【課題】足場ボルトに取り付けられた旗を容易に取り外すことができる旗取外工具用部品、この旗取外工具用部品を備える旗取外工具等を提供すること。【解決手段】旗取外工具１は、旗竿の一部又は全部が挿入される挿入穴１２を、一端から形成する挿入内壁１５を有する挿入部１１と、この挿入部１１の一端に突設され旗竿が引っ掛け可能な当接部２１と、挿入部１１の他端に設けられた接続部３１と、この接続部３１を介して挿入部１１の他端に延設された操作部４１と、を備える。【選択図】図１
2007237362.tif 000002
【特許請求の範囲】
【請求項１】
電柱から突出する３つ以上の足場ボルトに旗竿が千鳥状に係合して取り付けられた旗を、前記足場ボルトから取り外すための旗取外工具用部品であって、
前記旗竿の一部又は全部が挿入される挿入穴を、一端から形成する内壁を有する棒状の挿入部と、
前記挿入部の一端に突設され前記旗竿が引っ掛け可能な当接部と、
前記挿入部の他端に設けられ且つ棒状体を前記挿入部に接続可能な接続部と、を備える旗取外工具用部品。
【請求項２】
請求項１記載の旗取外工具用部品において、
前記内壁は、前記挿入穴に挿入された旗竿の一部又は全部に外接される旗取外工具用部品。
【請求項３】
請求項１又は２記載の旗取外工具用部品において、
前記挿入部は、側面に設けられ且つ前記挿入穴に挿入された旗竿の一部又は全部を視認可能とする視認窓を更に有する旗取外工具用部品。
【請求項４】
請求項１から３いずれか記載の旗取外工具用部品において、
前記当接部は、前記旗竿を前記挿入穴に案内する案内部を有し、
前記案内部は、引っ掛けられた前記旗竿が前記挿入穴に向かうように、前記旗竿を支持する旗取外工具用部品。
【請求項５】
請求項１から４いずれか記載の旗取外工具用部品において、
前記当接部には、前記挿入穴の断面よりも大きい開口を有し且つ前記挿入穴に連通する連通孔が形成され、
前記連通孔を通じて前記旗竿を前記挿入穴に挿入可能である旗取外工具用部品。
【請求項６】
電柱から突出する３つ以上の足場ボルトに旗竿が千鳥状に係合して取り付けられた旗を、前記足場ボルトから取り外すための旗取外工具であって、
請求項１から５いずれか記載の旗取外工具用部品と、
前記挿入部の他端に延設された操作部と、を備える旗取外工具。
【請求項７】
請求項６記載の旗取外工具において、
前記操作部は、前記挿入穴が延びる方向に角度をなして延設される旗取外工具。
【請求項８】
請求項６又は７記載の旗取外工具を用いて、電柱から突出する３つ以上の足場ボルトに旗竿が千鳥状に係合して取り付けられた旗を、前記足場ボルトから取り外すための旗取外方法であって、
前記操作部を介して前記当接部を操作し、前記旗竿を前記当接部に引っ掛ける手順と、
前記操作部を介して前記挿入部を操作し、前記当接部に引っ掛けられた旗竿を前記挿入穴に挿入する手順と、
前記操作部を介して前記挿入穴に挿入された旗竿を操作し、前記電柱の下方に配置された足場ボルトから順に係合解除する手順と、を備える旗取外方法。
【発明の詳細な説明】
【技術分野】
【０００１】
本発明は、旗取外工具用部品、この旗取外工具用部品を備える旗取外工具、及び、この旗取外工具を用いた旗取外方法に関する。
【背景技術】
【０００２】
従来から、広告目的等の旗が、電柱の設置者に無断で、電柱に取り付けられることが多い。図１１は、電柱から突出する足場ボルトに旗竿が取り付けられた旗の状態を示す斜視図である。
【０００３】
旗９００は、旗竿９１０と、この旗竿９１０に乳を介して接続され広告内容が記載された旗部９１５と、を備える。一方、電柱９５０は、側面に突設され且つ略直線状に配置された足場ボルト９２０を備える（例えば、特許文献１参照）。
【０００４】
旗９００は、以下のようにして、３つ以上、ここでは３つの足場ボルト９２１〜９２３に取り付けられている。
【０００５】
つまり、旗竿９１０は、３つの足場ボルト９２１〜９２３に千鳥状に掛けられることにより、しなる。しなった旗竿９１０は自然状態に回帰しようとするため、回帰を妨害する位置に配置された足場ボルト９２１〜９２３の各々に係合する。これにより、旗９００は足場ボルト９２１〜９２３に取り付けられる。
【特許文献１】特開２００１−０２５１４３号公報
【発明の開示】
【発明が解決しようとする課題】
【０００６】
しかしながら、旗９００が足場ボルト９２０に取り付けられていると、旗９００が邪魔となって柱上作業に支障をきたす恐れがあるのみならず、景観にも悪影響を与える。
【０００７】
一方、悪戯防止等のために足場ボルト９２０は比較的高所（通常、１．８ｍ以上）に設けられているので、足場ボルト９２０に取り付けられた旗９００を取り外す作業は、脚立等に昇って行う他なく、手間がかかるという問題があった。
【０００８】
本発明の目的は、足場ボルトに取り付けられた旗を容易に取り外すことができる旗取外工具用部品、この旗取外工具用部品を備える旗取外工具、及び、この旗取外工具を用いた旗取外方法を提供することにある。
【課題を解決するための手段】
【０００９】
本発明は、具体的には以下のようなものを提供する。
【００１０】
（１）  電柱から突出する３つ以上の足場ボルトに旗竿が千鳥状に係合して取り付けられた旗を、前記足場ボルトから取り外すための旗取外工具用部品であって、前記旗竿の一部又は全部が挿入される挿入穴を、一端から形成する内壁を有する棒状の挿入部と、前記挿入部の一端に突設され前記旗竿が引っ掛け可能な当接部と、前記挿入部の他端に設けられ且つ棒状体を前記挿入部に接続可能な接続部と、を備える旗取外工具用部品。
【００１１】
（１）の発明によれば、挿入部に挿入穴を形成し、更に挿入部の一端に当接部を突設したので、当接部を操作すれば、旗竿が当接部に引っ掛かり、続いて、挿入部の位置を微調節するだけで、当接部に引っ掛けられた旗竿を挿入穴に挿入できる。
【００１２】
そして、挿入穴に挿入された旗竿を操作することにより、電柱の下方に配置された足場ボルトから順に係合解除して、旗を取り外すことができる。
【００１３】
しかも、挿入部に接続部を設けたので、接続部を介して棒状体（例えば、後述の操作部）を挿入部に接続することにより、従来のように脚立等に昇ることなく、地上で棒状体を介して、以上の操作を行うことができる。
【００１４】
したがって、足場ボルトに取り付けられた旗を容易に取り外すことができる。
【００１５】
なお、接続部を、汎用されている棒状体（例えば、物干し竿）と挿入部とを接続可能に形成すれば、専用の棒状体を入手しなくても、旗取外工具用部品を活用できる。また、種々の形状の棒状体と挿入部とを接続可能に形成すれば、旗取外工具用部品の汎用性を向上できる。
【００１６】
（２）  （１）記載の旗取外工具用部品において、前記内壁は、前記挿入穴に挿入された旗竿の一部又は全部に外接される旗取外工具用部品。
【００１７】
（２）の発明によれば、挿入穴に挿入された旗竿の部位が内壁に外接するので、旗竿の姿勢が安定する。このため、挿入穴に挿入された旗竿の操作が容易となるから、電柱の下方に配置された足場ボルトから順に係合解除して、旗を取り外すのが容易となる。
【００１８】
したがって、足場ボルトに取り付けられた旗を、より容易に取り外すことができる。
【００１９】
（３）  （１）又は（２）記載の旗取外工具用部品において、前記挿入部は、側面に設けられ且つ前記挿入穴に挿入された旗竿の一部又は全部を視認可能とする視認窓を更に有する旗取外工具用部品。
【００２０】
（３）の発明によれば、挿入部に視認窓を更に設けたので、この視認窓を通して、棒状体を把持する操作者は、挿入穴に挿入された旗竿の部位を視認できる。このため、挿入穴に挿入されている旗竿の状態（例えば、挿入されている長さ）を把握でき、旗竿の状態が操作を行ううえで最適となるように調整しながら、旗竿の挿入穴への挿入や足場ボルトからの係合解除といった操作を行うことができる。
【００２１】
したがって、足場ボルトに取り付けられた旗を、より容易に取り外すことができる。
【００２２】
（４）  （１）から（３）いずれか記載の旗取外工具用部品において、前記当接部は、前記旗竿を前記挿入穴に案内する案内部を有し、前記案内部は、引っ掛けられた前記旗竿が前記挿入穴に向かうように、前記旗竿を支持する旗取外工具用部品。
【００２３】
（４）の発明によれば、当接部に案内部を設けたので、当接部に引っ掛けられた旗竿は、案内部によって、挿入穴に向かうように支持される。このため、案内部に支持された旗竿の姿勢を保持しながら、挿入部を旗竿の方向へ移動操作することにより、旗竿を挿入穴に容易に挿入できる。
したがって、足場ボルトに取り付けられた旗を、より容易に取り外すことができる。
【００２４】
（５）  （１）から（４）いずれか記載の旗取外工具用部品において、前記当接部には、前記挿入穴の断面よりも大きい開口を有し且つ前記挿入穴に連通する連通孔が形成され、前記連通孔を通じて前記旗竿を前記挿入穴に挿入可能である旗取外工具用部品。
【００２５】
（５）の発明によれば、当接部に開口を有する連通孔を形成したので、旗竿を開口に挿入し、更に連通孔を介して、挿入穴に挿入できる。しかも、開口を挿入穴の断面よりも大きく形成したので、旗竿を挿入穴に挿入する操作を、直接挿入穴に挿入するよりも、容易に行うことができる。
【００２６】
したがって、足場ボルトに取り付けられた旗を、より容易に取り外すことができる。
【００２７】
（６）  電柱から突出する３つ以上の足場ボルトに旗竿が千鳥状に係合して取り付けられた旗を、前記足場ボルトから取り外すための旗取外工具であって、（１）から（５）いずれか記載の旗取外工具用部品と、前記挿入部の他端に延設された操作部と、を備える旗取外工具。
【００２８】
（６）の発明によれば、前述した旗取外工具に操作部を延設したので、この操作部を介して旗取外工具を操作できる。
【００２９】
したがって、前述した（１）〜（５）の発明と同様の効果が得られる。
【００３０】
（７）  （６）記載の旗取外工具において、前記操作部は、前記挿入穴が延びる方向に角度をなして延設される旗取外工具。
【００３１】
（７）の発明によれば、挿入穴が延びる方向に角度をなして操作部を延設したので、操作部を把持する操作者の位置から、挿入部及び当接部を視認するのが容易となる。このため、旗竿を当接部に引っ掛けたり、当接部に引っ掛けられた旗竿を挿入穴に挿入したりといった操作が、より容易となる。
【００３２】
したがって、足場ボルトに取り付けられた旗を、より容易に取り外すことができる。
【００３３】
（８）  （６）又は（７）記載の旗取外工具を用いて、電柱から突出する３つ以上の足場ボルトに旗竿が千鳥状に係合して取り付けられた旗を、前記足場ボルトから取り外すための旗取外方法であって、前記操作部を介して前記当接部を操作し、前記旗竿を前記当接部に引っ掛ける手順と、前記操作部を介して前記挿入部を操作し、前記当接部に引っ掛けられた旗竿を前記挿入穴に挿入する手順と、前記操作部を介して前記挿入穴に挿入された旗竿を操作し、前記電柱の下方に配置された足場ボルトから順に係合解除する手順と、を備える旗取外方法。
【００３４】
（８）記載の旗取外方法は、（６）〜（７）記載の旗取外工具を旗取外方法として展開したものである。
【００３５】
したがって、（８）の発明によれば、前述した（６）〜（７）の発明と同様の効果が得られる。
【発明の効果】
【００３６】
本発明によれば、挿入部に挿入穴を形成し、更に挿入部の一端に当接部を突設したので、当接部を操作すれば、旗竿が当接部に引っ掛かり、続いて、挿入部の位置を微調節するだけで、当接部に引っ掛けられた旗竿を挿入穴に挿入できる。そして、挿入穴に挿入された旗竿を操作することにより、電柱の下方に配置された足場ボルトから順に係合解除して、旗を取り外すことができる。
【００３７】
しかも、挿入部に接続部を設けたので、接続部を介して棒状体（例えば、操作部）を挿入部に接続することにより、従来のように脚立等に昇ることなく、地上で棒状体を介して、以上の操作を行うことができる。
【００３８】
したがって、足場ボルトに取り付けられた旗を容易に取り外すことができる。
【発明を実施するための最良の形態】
【００３９】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００４０】
＜第１実施形態＞
図１は、本発明の第１実施形態に係る旗取外工具１の全体斜視図である。
【００４１】
旗取外工具１は、挿入機構１０と、当接機構２０と、接続機構３０と、操作機構４０と、を備える。
【００４２】
挿入機構１０は、略円柱状（棒状の一例）の挿入部１１を有する。この挿入部１１は挿入内壁１５（内壁の一例）を有し、この挿入内壁１５は挿入部１１の上端から挿入穴１２を形成する。この挿入穴１２は、挿入部１１の長手方向に沿って形成されている。また、挿入部１１の長さは、通常、５００ｍｍ以上５５０ｍｍ以下である。
【００４３】
挿入穴１２は後述する旗竿９１０の先端部の断面形状が外接可能な断面形状を有し、本実施形態では、旗竿９１０の断面と略同じ大きさの断面を有する。つまり、挿入部１１は、内径（例えば、２６ｍｍ以上２８ｍｍ以下の円形）が旗竿９１０の外径に略等しく、底を有する円筒状である。また、挿入穴１２の深さは、通常、２００ｍｍ以上２５０ｍｍ以下である。
【００４４】
当接機構２０は、挿入部１１の一端に突設された当接部２１を有する。この当接部２１は、挿入部１１の一端から挿入穴１２が延びる方向に突出するように設けられ、これにより当接部２１は旗竿が引っ掛け可能に構成される。また、当接部２１の高さは、通常、３０ｍｍ以上５０ｍｍ以下である。
【００４５】
当接部２１は、挿入部１１の上端部と外径及び内径が略同一の四半円筒状に形成されている。これにより、当接部２１は、この四半円筒状の内壁である、旗竿９１０を挿入穴１２に案内する案内部２２を構成する。この案内部２２は、当接部２１に引っ掛けられた旗竿９１０が挿入穴１２に向かうように、旗竿９１０を支持する。
【００４６】
以上の挿入部１１及び当接部２１は、挿入穴１２を視認可能として操作性を向上する点で、透明部材で形成されていることが好ましい。
【００４７】
接続機構３０は、挿入部１１の他端に設けられた略円柱状（棒状の一例）の接続部３１を有する。この接続部３１は接続内壁３２を有し、この接続内壁３２は接続部３１の下端から接続穴３３を形成する。この接続穴３３は、挿入穴１２が延びる方向に沿って形成されている。また、接続部３１の長さは、通常、２００ｍｍ以上２５０ｍｍ以下である。
【００４８】
また、接続穴３３は後述する操作部４１の先端部の断面形状が外接可能な断面形状を有し、本実施形態では、操作部４１の先端部断面と略同じ大きさの断面を有する。つまり、接続部３１は、内径（例えば、２７ｍｍ以上２９ｍｍ以下）が操作部４１の外径に略等しく、底を有する円筒状である。また、接続穴３３の深さは、通常、５０ｍｍ以上１００ｍｍ以下である。
【００４９】
操作機構４０は、接続部３１を介して挿入部１１の他端に延設された略円柱状（棒状の一例）の操作部４１を有する。この操作部４１は、上端が接続穴３３に挿入されることにより、挿入部１１と接続されている。また、操作部４１の長さは、通常、１，７００ｍｍ以上１，７５０ｍｍ以下である。
【００５０】
操作部４１の接続穴３３に挿入される部位には、挿入部１１との接続強度を向上する点では、接着部材が塗布されていることが好ましく、挿入部１１から着脱可能として収納性を向上する点では、接着部材が塗布されていないことが好ましい。
【００５１】
以上の挿入部１１、当接部２１、及び、接続部３１は、旗取外工具用部品２を構成する。
【００５２】
以上の旗取外工具１を用いた旗取外方法を、図２〜図４に基づいて説明する。
【００５３】
図２は、前記実施形態に係る旗取外工具１の初期の使用状態を示す図である。図３は、前記実施形態に係る旗取外工具１の次の使用状態を示す図である。図４は、前記実施形態に係る旗取外工具１の更に次の使用状態を示す図である。なお、図４は、足場ボルト９２０の突出方向からの正面図である。
【００５４】
まず、図２に示されるように、操作部４１を介して当接部２１を操作し、この当接部２１に旗竿９１０を引っ掛ける。本実施形態では、挿入穴１２が延びる方向に当接部２１が突設されているので、挿入穴１２が延びる方向に直交する方向（図２における矢印Ｑの方向）に沿って当接部２１を旗竿９１０に近接させると、当接部２１を旗竿９１０に容易に引っ掛けることができる。
【００５５】
次に、操作部４１を介して案内部２２を操作して、当接部２１に引っ掛けられた旗竿９１０が案内部２２に当接し、旗竿９１０が案内部２２に支持されるようにする。これにより、旗竿９１０は、下端が挿入穴１２に向かう。
【００５６】
続いて、図３に示されるように、操作部４１を介して挿入部１１を操作して、旗竿９１０が案内部２２に支持された状態を保ったまま、挿入部１１を旗竿９１０の下端方向（図３における矢印Ｐの方向）へと摺動させる。これにより、案内部２２に支持された旗竿９１０が、挿入穴１２に挿入される。挿入された旗竿９１０は、挿入部１１の挿入内壁１５に外接する。
【００５７】
次に、図４に示されるように、操作部４１を介して挿入穴１２に挿入された旗竿９１０を操作し、電柱の下方に配置された足場ボルト９２１から係合解除する。具体的には、挿入穴１２に挿入された挿入部位を手前に引くことにより、足場ボルト９２１に接触していた接触部位９１１が足場ボルト９２１の突出方向（図４における手前方向）へと移動し、やがて足場ボルト９２１の先端を通過することにより、足場ボルト９２１との係合が解除される。
【００５８】
このような係合解除の操作を、旗竿９１０が係合する足場ボルトの数が３つ未満となるまで、繰り返す。本実施形態では、旗竿９１０が３つの足場ボルト９２１〜９２３の３つのみに係合して取り付けられていたため、足場ボルト９２１との係合を解除するだけで、旗竿９１０が自然状態へと戻る。これにより、旗竿９１０と、足場ボルト９２２及び９２３との係合も自動的に解除され、旗９００が足場ボルトから取り外される。
【００５９】
本実施形態によれば、以下のような作用効果が得られる。
【００６０】
（Ａ）挿入部１１の一端に当接部２１を突設したので、操作部４１を介して当接部２１を操作することにより、旗竿９１０が当接部２１に引っ掛かり、続いて、挿入部１１の位置を微調節するだけで、当接部２１に引っ掛けられた旗竿９１０を挿入穴１２に挿入できる。そして、挿入穴１２に挿入された旗竿９１０を操作することにより、電柱９５０の下方に配置された足場ボルト９２１から順に係合解除して、旗９００を取り外すことができる。
【００６１】
しかも、接続部３１を介して挿入部１１の他端に操作部４１を延設したので、従来のように脚立等に昇ることなく、地上で操作部４１を介して、以上の操作を行うことができる。
【００６２】
したがって、足場ボルト９２０に取り付けられた旗９００を容易に取り外すことができる。
【００６３】
（Ｂ）挿入穴１２に挿入された旗竿９１０の部位が挿入内壁１５に外接するので、旗竿９１０の姿勢が安定する。このため、挿入穴１２に挿入された旗竿９１０の操作が容易となるから、旗９００を取り外すのが容易となる。
【００６４】
（Ｃ）当接部２１に案内部２２を設けたので、当接部２１に引っ掛けられた旗竿９１０は、案内部２２によって、挿入穴１２に向かうように支持される。このため、案内部２２に支持された旗竿９１０の姿勢を保持しながら、挿入部１１を旗竿９１０の方向へ移動させることにより、旗竿９１０を挿入穴１２に容易に挿入できる。
【００６５】
＜第２実施形態＞
図５は、本発明の第２実施形態に係る旗取外工具１Ａの全体斜視図である。本実施形態では、当接部２１Ａの構造が第１実施形態と異なる。
【００６６】
即ち、挿入部１１の一端に設けられた当接部２１Ａは、逆円錐台形である。この当接部２１Ａの上端には開口２４が形成され、この開口２４は連通孔２３を介して挿入穴１２に連通する。開口２４は、挿入穴１２の断面よりも大きく形成された略円形である。
【００６７】
連通孔２３は、この開口２４及び挿入穴１２の上端を底面とする逆円錐台形に形成されている。これにより、当接部２１Ａの内壁である案内部２２Ａは、当接部２１Ａに引っ掛けられた旗竿９１０が挿入穴１２に向かうように、旗竿９１０を支持する。
【００６８】
以上の旗取外工具１Ａを用いた旗取外方法は、旗竿９１０を当接部２１Ａに引っ掛ける手順が異なる場合がある。
【００６９】
即ち、本実施形態では、開口２４が挿入穴１２の断面よりも大きいので、この開口２４が開いている方向から当接部２１Ａを旗竿９１０に近接させると、この当接部２１Ａを旗竿９１０に容易に引っ掛けることができる。
【００７０】
本実施形態によれば、前述した第１実施形態による作用効果に加えて、以下のような作用効果が得られる。
【００７１】
（Ｄ）当接部２１Ａに開口２４を有する連通孔２３を形成したので、旗竿９１０を開口２４に挿入し、更に連通孔２３を介して、挿入穴１２に挿入できる。
【００７２】
ここで、開口２４を挿入穴１２の断面よりも大きく形成したので、旗竿９１０を挿入穴１２に挿入する操作を、挿入穴１２に直接挿入するよりも、容易に行うことができる。
【００７３】
＜第３実施形態＞
図６は、本発明の第３実施形態に係る旗取外工具１Ｂの全体斜視図（ａ）及び断面図（ｂ）である。本実施形態では、当接部２１Ｂの構造が第１実施形態と異なる。
【００７４】
即ち、挿入部１１の一端に挿入穴１２が延びる方向に突設された当接部２１Ｂは、内径が挿入部１１の内径と略等しい筒状体が、斜めに切欠された形状を有する。このようにして形成される開口２４Ｂは、挿入穴１２よりも大きく形成された楕円形となり、連通孔２３Ｂを介して挿入穴１２に連通する。これにより、連通孔２３Ｂを通じて旗竿９１０を挿入穴１２に挿入可能となっている。
【００７５】
また、当接部２１Ｂの内壁である案内部２２Ｂは、当接部２１Ｂに引っ掛けられた旗竿９１０が挿入穴１２に向かうように、旗竿９１０を支持する。
【００７６】
本実施形態では、筒状体の内径が挿入部１１の内径と略等しく構成されているが、旗竿９１０を引っ掛ける操作をより容易化する点で、挿入部１１の内径よりも大きく構成されることが好ましい。
【００７７】
以上の旗取外工具１Ｂを用いた旗取外方法は、旗竿９１０を当接部２１Ｂに引っ掛ける手順が異なる場合がある。
【００７８】
即ち、本実施形態では、挿入穴１２が延びる方向に当接部２１Ｂが突設されているので、挿入穴１２が延びる方向に直交する方向に沿って当接部２１Ｂを旗竿９１０に近接させると、この当接部２１Ｂを旗竿９１０に容易に引っ掛けることができる。また、開口２４Ｂが挿入穴１２の断面よりも大きいので、この開口２４Ｂが開いている方向から当接部２１Ｂを旗竿９１０に近接させる場合も、旗竿９１０に容易に引っ掛けることができる。
【００７９】
本実施形態によれば、前述した第１〜第２実施形態による作用効果に加えて、以下のような作用効果が得られる。
【００８０】
（Ｅ）当接部２１Ｂを筒状体が斜めに切欠された形状としたので、容易に当接部２１Ｂを作製できる。しかも、筒状体を斜めに切欠すれば、全く同じ開口２４Ｂを有する連通孔２３Ｂが形成された当接部２１Ｂが、２つ同時に得られるので、製造の効率性を向上できる。
【００８１】
＜第４実施形態＞
図７は、本発明の第４実施形態に係る旗取外工具１Ｃの全体斜視図（ａ）及び断面図（ｂ）である。本実施形態では、接続部３１Ｃの構造、及び、保持部５１、ベルト５２が設けられている点が第３実施形態と異なる。
【００８２】
即ち、図７（ａ）に示されるように、接続内壁３２Ｃが形成する接続穴３３Ｃは、操作部４１の先端断面と略同じ大きさの断面を有する円柱状穴と、この円柱状穴の上部に連通し径が漸次縮小する略円錐状穴と、で構成される。
【００８３】
また、旗取外工具用部品２Ｃは、一端が接続部３１Ｃに連結され接続部３１Ｃの下端から延出する保持部５１と、この保持部５１の他端に設けられ接続部３１Ｃが延びる方向に直交する方向へと延びるベルト５２と、を更に有する。これら保持部５１及びベルト５２は、接続補助部を構成する。
【００８４】
図７（ｂ）に示されるように、操作部４１は、先端部が接続穴３３Ｃの内部に挿入されて挿入部１１に接続されるとともに、ベルト５２に巻き付けられて保持部５１に圧着され、この保持部５１及び接続部３１Ｃを介して挿入部１１に接続される。
【００８５】
以上の挿入部１１、当接部２１Ｃ、接続部３１Ｃ、保持部５１、ベルト５２は、旗取外工具用部品２Ｃを構成する。
【００８６】
ただし、保持部５１及びベルト５２のような構造は、本実施形態では、旗取外工具用部品２Ｃに設けられているが、操作部４１に設けられていてもよい。
【００８７】
本実施形態によれば、前述した第１〜第３実施形態による作用効果に加えて、以下のような作用効果が得られる。
【００８８】
（Ｆ）保持部５１及びベルト５２を更に設けたので、操作部４１の挿入部１１への接続が強化されるから、操作部４１に接続された挿入部１１や当接部２１Ｃの姿勢が安定する。このため、操作部４１を介した挿入部１１や当接部２１Ｃの操作を容易に行うことができる。
【００８９】
（Ｇ）接続穴３３Ｃの一部を径が漸次縮小する略円錐状としたので、種々の大きさの断面形状を有する操作部４１と、挿入部１１とを接続できるので、旗取外工具用部品の汎用性を向上できる。
【００９０】
＜第５実施形態＞
図８は、本発明の第５実施形態に係る旗取外工具１Ｄの分解斜視図（ａ）及び全体斜視図（ｂ）である。本変形例では、挿入部１１Ｄの構造が第１実施形態と異なる。
【００９１】
即ち、挿入部１１Ｄは、この側面に設けられた視認窓１３を有する。この視認窓１３が形成する開口は、挿入穴１２へと連通する。これにより、視認窓１３は、開口を通して、挿入穴１２に挿入された旗竿の一部又は全部を視認可能とする。
【００９２】
本実施形態によれば、前記第１実施形態による作用効果に加えて、以下のような作用効果が得られる。
【００９３】
（Ｈ）挿入部１１Ｄに視認窓１３を更に設けたので、これら視認窓１３を通して、操作部４１を把持する操作者は、挿入穴１２に挿入された旗竿９１０の部位を視認できる。このため、挿入穴１２に挿入されている旗竿９１０の状態（例えば、挿入されている長さ）を把握でき、旗竿９１０の状態が操作を行ううえで最適となるように調整しながら、旗竿９１０の挿入穴１２への挿入や足場ボルトからの係合解除といった操作を行うことができる。
【００９４】
＜第６実施形態＞
図９は、本発明の第６実施形態に係る旗取外工具１Ｅの全体斜視図である。本変形例では、接続部３１Ｅの構造が第１実施形態と異なる。
【００９５】
即ち、接続部３１Ｅは、略円柱の長手方向の途中で折曲した形状を有する。つまり、接続部３１Ｅは、挿入穴１２が形成されている端部とは反対側の下端部が、挿入穴１２が延びる方向から折曲している。これにより、接続部３１Ｅの接続内壁３２Ｅは、挿入穴１２が延びる方向に角度をなして接続穴３３Ｅを形成する。そして、この接続穴３３Ｅに挿入された操作部４１は、挿入穴１２が延びる方向に角度をなして延設される。
【００９６】
ここで、挿入穴１２と接続穴３３Ｅとのなす角度は、挿入部１１及び操作部４１の長さ等を考慮して、操作部４１を把持する操作者の位置から、挿入部１１及び当接部２１を視認するのが容易となるように、適宜設定すればよい。
【００９７】
なお、挿入穴１２が延びる方向と接続穴３３Ｅが延びる方向とが角度をなしている限りにおいて、挿入穴１２及び接続穴３３Ｅを形成する方向は、特に限定されない。例えば、本実施形態では、挿入穴１２が挿入部１１の長手方向に沿って形成され且つ接続穴３３Ｅが挿入部１１の長手方向に角度をなして形成されているが、接続穴３３Ｅが挿入部１１の長手方向に沿って形成され且つ挿入穴１２が挿入部１１の長手方向に角度をなして形成されてもよい。
【００９８】
また、本実施形態では、接続部３１Ｅの下端部が折曲した構成としたが、操作部４１の先端部が折曲することにより、操作部が、挿入穴１２が延びる方向に角度をなして延設される構成としてもよい。
【００９９】
本実施形態によれば、前記第１実施形態による作用効果に加えて、以下のような作用効果が得られる。
【０１００】
（Ｉ）挿入穴１２が延びる方向に角度をなして操作部４１を延設したので、この操作部４１を把持する操作者の位置から、挿入部１１及び当接部２１を視認するのが容易となる。このため、旗竿９１０を当接部２１に引っ掛けたり、当接部２１に引っ掛けられた旗竿９１０を挿入穴１２に挿入したりといった操作が、より容易となる。
【０１０１】
［変形例］
なお、本発明は前記実施形態に限定されるものではなく、本発明の目的を達成できる範囲での変形、改良等は本発明に含まれるものである。例えば、以下のような変形例が挙げられる。また、本明細書における各部材は、一体的に形成されていてもよく、別体として形成されていてもよい。
【０１０２】
図１０は、本発明の一変形例に係る旗取外工具１Ｆの分解斜視図である。本変形例では、接続部３１Ｆの構造及び突出部６１が設けられている点が第１実施形態と異なる。
【０１０３】
即ち、旗取外工具１Ｆは、操作部４１の先端に突設された突出部６１を有する。この突出部６１及び接続穴３３Ｆの各々は、略同じ形状の非円形断面、本変形例では略四角形断面を有する。これにより、接続部３１Ｆの接続内壁３２Ｆは、下端から略四角柱の接続穴３３Ｆを形成する。このような突出部６１は、回転防止部を構成する。
【０１０４】
なお、本変形例では、操作部４１の先端に略四角柱の突出部６１を突設したが、操作部４１全体に亘って略四角柱で構成してもよい。ただし、操作部４１のうち、操作者に把持される部位（通常、突出部６１の設置部位と反対側の端部が該当する）は、角部及び尖部を有しない形状（例えば、円形、楕円形）の断面で構成されることが、操作部４１を把持する操作者に与える痛みを軽減できる点で好ましい。
【０１０５】
本変形例によれば、前記第１実施形態による作用効果に加えて、以下のような作用効果が得られる。
【０１０６】
（Ｊ）操作部４１に突出部６１を突設し、この突出部６１及び接続穴３３Ｆの各々を略四角柱としたので、突出部６１が接続穴３３Ｆに挿入された操作部４１は挿入部１１に対して回転しないから、操作部４１の挿入部１１への接続が安定化する。このため、操作部４１を介した挿入部１１や当接部２１の操作を容易に行うことができる。
【図面の簡単な説明】
【０１０７】
【図１】本発明の第１実施形態に係る旗取外工具の全体斜視図である。
【図２】前記実施形態に係る旗取外工具の初期の使用状態を示す図である。
【図３】前記実施形態に係る旗取外工具の次の使用状態を示す図である。
【図４】前記実施形態に係る旗取外工具の更に次の使用状態を示す図である。
【図５】本発明の第２実施形態に係る旗取外工具の全体斜視図である。
【図６】本発明の第３実施形態に係る旗取外工具の全体斜視図（ａ）及び断面図（ｂ）である。
【図７】本発明の第４実施形態に係る旗取外工具の全体斜視図（ａ）及び断面図（ｂ）である。
【図８】本発明の第５実施形態に係る旗取外工具の分解斜視図（ａ）及び全体斜視図（ｂ）である。
【図９】本発明の第６実施形態に係る旗取外工具の全体斜視図である。
【図１０】本発明の一変形例に係る旗取外工具の分解斜視図である。
【図１１】電柱から突出する足場ボルトに旗竿が取り付けられた旗の状態を示す斜視図である。
【符号の説明】
【０１０８】
１、１Ａ、１Ｂ、１Ｃ、１Ｄ、１Ｅ、１Ｆ  旗取外工具
２、２Ａ、２Ｂ、２Ｃ、２Ｄ、２Ｅ、２Ｆ  旗取外工具用部品
１１、１１Ｄ  （挿入部）
１２  挿入穴
１３  視認窓
１５  挿入内壁（内壁）
２１、２１Ａ、２１Ｂ、２１Ｃ  当接部
２２、２２Ａ、２２Ｂ、２２Ｃ  案内部
２３、２３Ｂ、２３Ｃ  連通孔
２４、２４Ｂ、２４Ｃ  開口
３１、３１Ｃ、３１Ｅ、３１Ｆ  接続部
４１、４１Ｆ  操作部
９００  旗
９１０  旗竿
９２０  足場ボルト
【図１】
2007237362.tif 000003
【図２】
2007237362.tif 000004
【図３】
2007237362.tif 000005
【図４】
2007237362.tif 000006
【図５】
2007237362.tif 000007
【図６】
2007237362.tif 000008
【図７】
2007237362.tif 000009
【図８】
2007237362.tif 000010
【図９】
2007237362.tif 000011
【図１０】
2007237362.tif 000012
【図１１】
2007237362.tif 000013